(57)【要約】【課題】  水溜め袋をマンホール内に簡単，確実に設定することができ、水が水溜め袋に容易に貯水され、保存庫として丈夫で耐震性にもすぐれ、長期の水の保存にも耐え得るものとなり、水溜め袋のマンホール内からの脱着も簡単容易で、不使用時にも水溜め袋等をコンパクトに載置しておくことができると共に既存のマンホールも容易に有効利用ができる水溜め兼用マンホールを提供する。【解決手段】  マンホール蓋受枠４の下位に中蓋１９と袋付き中蓋受枠１６と袋付き中蓋受枠の取付枠１２とが配置され、マンホール１下部位に上面に多数の孔を有する分割土台２８が配置され、前記袋付き中蓋受枠の取付枠がマンホール内周壁に固定され、該袋付き中蓋受枠の取付枠の内周に前記袋付き中蓋受枠が脱着自在に取付けられ、該袋付き中蓋受枠に固着された水溜め袋１８の底部が前記分割土台上に位置され得るようにした水溜め兼用マンホール。【選択図】        図２
2005264659.tif 000002
【特許請求の範囲】
【請求項１】
上部位に固定されたマンホール蓋受枠にマンホール蓋を載置するようにしたマンホールにおいて、マンホール蓋受枠の下位に中蓋と袋付き中蓋受枠と袋付き中蓋受枠の取付枠を配置し、マンホール下部位に上面に多数の孔を有する分割土台を配置し、前記袋付き中蓋受枠の取付枠をマンホール内周壁に固定し、該袋付き中蓋受枠の取付枠の内周に前記袋付き中蓋受枠を脱着自在に取付け、該袋付き中蓋受枠に固着された水溜め袋の底部を前記分割土台上に位置させ得るようにしたことを特徴とする水溜め兼用マンホール。
【発明の詳細な説明】
【技術分野】
【０００１】
本発明は、災害時等に必要とする水を地中に埋設されたマンホール内に貯水しておく水溜め兼用マンホールに関するものである。
【背景技術】
【０００２】
従来，地中に埋設される水槽本体とこの水槽本体から地上に延びて設けられた汲み出し口とを備えた防火水槽において、水槽本体の内面にシートから成る内張りを袋状にしたものがある（例えば特許文献１参照。）。
【０００３】
【特許文献１】特開平９−３９８９号公報
【発明の開示】
【発明が解決しようとする課題】
【０００４】
ところで、前記従来の技術では、水槽本体の内面にシートから成る内張りの袋状のものが簡単に設定できず、水槽本体の内面から剥がれてしまう虞もあり、シートが剥がれてしまうと水の貯水も汲み出し口から容易にできないと共に、内張りの袋状の交換等も容易にできない虞がある、という問題がある。
【０００５】
本発明は、従来の技術の有するこのような問題点に鑑みてなされたものであり、その目的とするところは、水溜め袋をマンホール内に簡単，確実に設定することができ、水が水溜め袋に容易に貯水され、保存庫として丈夫で耐震性にもすぐれ、長期の水の保存にも耐え得るものとなり、水溜め袋のマンホール内からの脱着も簡単容易で、不使用時にも水溜め袋等をコンパクトに載置しておくことができると共に既存のマンホールも容易に有効利用ができる水溜め兼用マンホールを提供しようとするものである。
【課題を解決するための手段】
【０００６】
上記目的を達成するために、本発明における水溜め兼用マンホールは、上部位に固定されたマンホール蓋受枠にマンホール蓋を載置するようにしたマンホールにおいて、マンホール蓋受枠の下位に中蓋と袋付き中蓋受枠と袋付き中蓋受枠の取付枠を配置し、マンホール下部位に上面に多数の孔を有する分割土台を配置し、前記袋付き中蓋受枠の取付枠をマンホール内周壁に固定し、該袋付き中蓋受枠の取付枠の内周に前記袋付き中蓋受枠を脱着自在に取付け、該袋付き中蓋受枠に固着された水溜め袋の底部を前記分割土台上に位置させ得るようにしたことを特徴とするものである。
【発明の効果】
【０００７】
以上のように、マンホール蓋受枠の下位に中蓋と袋付き中蓋受枠と袋付き中蓋受枠の取付枠を配置し、マンホール下部位に上面に多数の孔を有する分割土台を配置し、前記袋付き中蓋受枠の取付枠をマンホール内周壁に固定し、該袋付き中蓋受枠の取付枠の内周に前記袋付き中蓋受枠を脱着自在に取付け、該袋付き中蓋受枠に固着された水溜め袋の底部を前記分割土台上に位置させ得るようにしたので、水溜め袋をマンホール内に簡単，確実に設定することができ、水が水溜め袋に容易に貯水され、保存庫として丈夫で耐震性にもすぐれ、長期の水の保存にも耐え得るものとなり、水溜め袋のマンホール内からの脱着も簡単容易で、不使用時にも水溜め袋等をコンパクトに載置しておくことができると共に既存のマンホールも容易に有効利用ができるできる水溜め兼用マンホールとなる。
【発明を実施するための最良の形態】
【０００８】
図１ないし図６は本発明に係る水溜兼用マンホールの実施例に関するもので、図１は水溜兼用マンホールの正面断面図、図２は図１の側面断面図、図３は中蓋の斜視図、図４は袋付き中蓋受枠の斜視図、図５は袋付き中蓋受枠の取付枠の斜視図、図６は分割土台の斜視図を示すものである。
【０００９】
図において、１は組立式マンホールであり、該マンホ―ル１は上下に複数に分割されたコンクリート躯体２，２，…が相互に結合して構成され、最上位のコンクリート躯体２の上部位にはマンホール蓋３を載置するマンホール蓋受枠４が結合され、最下位のコンクリート躯体２の下部位には汚水導入管５と排水管６とを接続する接続管を有するインバート７が結合されている。そして、前記マンホール１の内周壁には多数段の足掛具８，８，…が配設されている。さらに、マンホール１内の下部位にはガス抜き用のパイプ９がマンホール１内の最上部位まで配管されている。
【００１０】
また、前記コンクリート躯体２，２の目地１０には、防水のために例えばモクシー（商標名）のようなコーティング材が施されている。さらに、マンホ―ル１の内周壁の略全面には防水加工又は撥水加工が施されている。
【００１１】
前記マンホール蓋受枠４の下位には前記マンホール１の上部位を構成する高さ調整コンクリート壁１１が配置され、該高さ調整コンクリート壁１１の内周壁に袋付き中蓋受枠の取付枠１２がアンカー１３，１３，…等で固定されている。前記袋付き中蓋受枠の取付枠１２の上部位の複数個所には略Ｌ字状の溝１４，１４，…が形成され、該取付枠１２の周面には前記アンカー１３，１３，…の挿入孔１５，１５，…が穿設されている。
【００１２】
１６は袋付き中蓋受枠であり、該袋付き中蓋受枠１６は中蓋受枠１７とポリ袋等の水溜め袋１８とで構成されている。前記中蓋受枠１７の内周には中蓋１９が螺着されるようにねじ２０が螺刻され、外周上部位には前記袋付き中蓋受枠の取付枠１２のＬ字状の溝１４，１４，…に挿着される複数の突部２１，２１，…が形成されている。前記水溜め袋１８は中蓋受枠１７の下部位内周に固定バンド２２等で係着，接着され、水溜め袋１８の大きさは略マンホール１の内空間の大きさであり、該水溜め袋１８の底部には排水栓２３が設けられ、該排水栓２３の上面の略中央部には前記中蓋受枠１７と連鎖する鎖２４等が連結されている。
【００１３】
前記中蓋１９の側周面は前記中蓋受枠１７のねじ２０に螺着されるようにねじ２５が螺刻され、中蓋１９の上面の略中央部には取っ手２６が設けられている。また、前記中蓋１９の側周面の最上部位には防水のためにゴム製の防水バンド２７が挿着されている。
【００１４】
２８は前記マンホール１の下部位のインバート７に配置される分割土台であり、該分割土台２８はマンホール１内の搬入，取り出しを容易にするため複数の部材（例えば半円状部材）２９，２９を接続して円状の土台とし、その上面全域には多数の孔３０，３０，…が設けられている。
【００１５】
以上のような構成からなる水溜め兼用マンホールであって、高さ調整コンクリート壁１１の内周壁にアンカー１３，１３，…等で固定された袋付き中蓋受枠の取付枠１２の略Ｌ字状の溝１４，１４，…に袋付き中蓋受枠１６の突部２１，２１，…を挿入し、中蓋受枠１７を少し回動させることにより水溜め袋１８はマンホール１内に簡単，確実に設定することができる。そして、設定された水溜め袋１８の検査等のために作業員が水溜め袋１８内に侵入したい場合の安全のため水溜め袋１８の内周部を上下複数個所に亘って前記足掛具８，８，…にクリップ３１，３１，…で係止させておくと、検査時には作業員が足掛具８，８，…でマンホール１内の昇降が可能になると共にこれにより貯水時には足掛具８，８，…の存在にもかかわらず略マンホール１内周に沿って水溜め袋１８が拡げられ貯水量の増加につながる。
【００１６】
そして、マンホール１の上位からホース等を袋付き中蓋受枠１６内に挿入し水を流し込むことにより水は水溜め袋１８に容易に貯水され、マンホール１の下部位のインバート７上に分割土台２８が配置されているので、貯水された水溜め袋１８の底部が分割土台２８上に位置させ得るようになり水溜め袋１８はマンホール１内に安定して配置される。そして、袋付き中蓋受枠１６に中蓋１９を螺着することにより水はマンホール１内に保存することができる。該保存された水は災害時等に防火用の水として利用したり、緊急時の飲み水等としても使用することができる。また、マンホ―ル１を利用したことにより、マンホ―ル１は丈夫で耐震性にもすぐれ、さらに防水加工，撥水加工を施すことにより、水の長期の保存にも耐え得るものとなる。また、前記分割土台２８の上面全域に多数の孔３０，３０，…を設けたことにより、マンホール１内の汚水，ゴミ等を排水管６に流すことができる。
【００１７】
また、貯水された水溜め袋１８内の水を交換する場合等には、前記水溜め袋１８の底部の排水栓２３を開くことにより、水は前記マンホール１内の排水管６に流れ込み、水を汲み上げる必要もなく容易に排水することができる。
また、水溜め袋１８に貯水しない場合には袋付き中蓋受枠の取付枠１２から袋付き中蓋受枠１６と中蓋１９との係止を解き、取り出された袋付き中蓋受枠１６の水溜め袋１８を折り畳み、中蓋１９と該袋付き中蓋受枠１６とを組み付けたままマンホール１内に挿入して、マンホール１内に配置された分割土台２８上に袋付き中蓋受枠１６と中蓋１９とを邪魔にならないように載置しておくことができる。
【００１８】
なお、本発明ではマンホール１は既存のマンホールを利用することも可能であり、既存のマンホールの内周面に防水加工，撥水加工を施し、マンホール蓋受枠の下位に袋付き中蓋受枠の取付枠１２をアンカー１３，１３，…等で固定し、既存のマンホールの下部位のインバート上に分割土台２８を配置する作業をし、袋付き中蓋受枠１６と中蓋１９を用意することにより容易に水溜め兼用マンホールとすることができる。既存のマンホールは全国の至る所に多数設置されていることから、緊急時の用心のために任意の場所を選択して防火用の水等を貯水し保存することができる。
【００１９】
また、本発明の水溜め兼用マンホールを寒冷地等に設置する場合には、水溜め袋１８内の水が凍らないようにするために、水溜め袋１８の内面及び中蓋１９の裏面に断熱性フィルムを帖着する場合がある。
【図面の簡単な説明】
【００２０】
【図１】本発明の実施例に係る水溜め兼用マンホールの正面断面図である。
【図２】図１の側面断面図である。
【図３】中蓋の斜視図である。
【図４】袋付き中蓋受枠の斜視図である。
【図５】袋付き中蓋受枠の取付枠の斜視図である。
【図６】分割土台の斜視図である。
【符号の説明】
【００２１】
１              マンホール
３              マンホール蓋
４              マンホール蓋受枠
１２            袋付き中蓋受枠の取付枠
１６            袋付き中蓋受枠
１８            水溜め袋
１９            中蓋
２８            分割土台
３０            孔
【図１】
2005264659.tif 000003
【図２】
2005264659.tif 000004
【図３】
2005264659.tif 000005
【図４】
2005264659.tif 000006
【図５】
2005264659.tif 000007
【図６】
2005264659.tif 000008